(57)【特許請求の範囲】
【請求項１】
（ａ）次の一般式（Ｉ）
Ｒ1(ＥＯ)m／(ＰＯ)nＨ        （Ｉ）
〔Ｒ1 は炭素数８〜２０のアルキル基、アルケニル基である。ＥＯはエチレンオキサイド、ＰＯはプロピレンオキサイドを示す。ｍ及びｎは平均付加モル数であり、ｍは２〜２０、ｎは１〜６である。〕
にて示される非イオン界面活性剤１０〜６０重量％、
（ｂ）脂肪酸塩
（ｃ）次式（II）で示されるアミンオキシド及び次式(III) で示されるアミドアミンオキシドから選ばれる少なくとも１種、並びに
【化１】
0003926467.tif 000004
〔式中Ｒ2は平均炭素数８〜１８の直鎖又は分岐アルキル基を表し、Ｒ5は平均炭素数７〜１７の直鎖又は分岐アルキル基を表す。Ｒ3、Ｒ4、Ｒ6、Ｒ7は炭素数１〜３のアルキル基又は炭素数１〜４のヒドロキシアルキル基である。ｔは１〜５である。〕
（ｄ）アルカリ剤
を含有し、（ａ）の全量中、下記一般式（Ia）
Ｒ8(ＥＯ)p(ＰＯ)qＨ      （Ia）
〔Ｒ8 は平均炭素数１２〜１８の直鎖、一級のアルキル基である。ＥＯ、ＰＯは前記と同じ。ｐ及びｑは平均付加モル数であり、ｐは４〜１２、ｑは１〜４である。〕
で示される非イオン界面活性剤が１０重量％〜１００重量％を占め、（ｂ）及び（ｃ）の合計量が２重量％〜１５重量％、（ｂ）／（ｃ）が１／２０〜３／１（重量比）である液体洗浄剤組成物。
【請求項２】
（ｄ）アルカリ剤が、アルカリ金属の水酸化物、ケイ酸塩、炭酸塩及びアルカノールアミンから選ばれる請求項１記載の液体洗浄剤組成物。
【請求項３】
（ｂ）／（ｃ）が１／１０〜３／１（重量比）である請求項１又は２記載の液体洗浄剤組成物。
【請求項４】
洗濯用である請求項１〜３の何れか１項記載の液体洗浄剤組成物。
【発明の詳細な説明】
【０００１】
【発明の属する技術分野】
本発明は、すすぎ時の泡切れに優れる液体洗浄剤組成物に関する。
【０００２】
【従来の技術及び発明が解決しようとする課題】
洗濯工程が終わった後、衣類に界面活性剤等の洗浄成分が残留しないように、多量の水ですすぐ必要がある。節水等の観点から、より少ない量の水ですすぐことができる洗剤が望まれている。
【０００３】
【課題を解決するための手段】
本発明は、
（ａ）次の一般式（Ｉ）
Ｒ1(ＥＯ)m／(ＰＯ)nＨ    （Ｉ）
〔Ｒ1 は炭素数８〜２０のアルキル基、アルケニル基である。ＥＯはエチレンオキサイド、ＰＯはプロピレンオキサイドを示す。ｍ及びｎは平均付加モル数であり、ｍは２〜２０、ｎは１〜６である。〕
にて示される非イオン界面活性剤１０〜６０重量％、
（ｂ）脂肪酸及び
（ｃ）次式（II）で示されるアミンオキシド及び次式(III) で示されるアミドアミンオキシドから選ばれる少なくとも１種
【０００４】
【化２】
0003926467.tif 000002
【０００５】
〔式中Ｒ2は平均炭素数８〜１８の直鎖又は分岐アルキル基を表し、Ｒ5は平均炭素数７〜１７の直鎖又は分岐アルキル基を表す。Ｒ3、Ｒ4、Ｒ6、Ｒ7は炭素数１〜３のアルキル基又は炭素数１〜４のヒドロキシアルキル基である。ｔは１〜５である。〕
を含有し、（ｂ）及び（ｃ）の合計量が２重量％〜１５重量％、（ｂ）／（ｃ）が１／２０〜３／１（重量比）である液体洗浄剤組成物液体洗浄剤組成物を提供するものである。
【０００６】
（ａ）成分の一般式（Ｉ）において、Ｒ1 は平均炭素数１０〜１４の直鎖のアルキル基、ｍは４〜１２、ｎは１〜４が好ましい。ＥＯとＰＯの付加方法は、例えばランダム付加またはＥＯを付加した後、ＰＯを付加してもよく、またその逆のようなブロック付加体でもよい。
【０００７】
（ａ）成分は特に下記一般式（Ia）で示される非イオン界面活性剤が好ましい。
Ｒ8(ＥＯ)p(ＰＯ)qＨ    （Ia）
〔Ｒ8 は平均炭素数１２〜１８の直鎖、一級のアルキル基である。ＥＯ、ＰＯは前記と同じ。ｐ及びｑは平均付加モル数であり、ｐは４〜１２、ｑは１〜４である。〕
一般式（Ia）の非イオン界面活性剤は、合成もしくは天然油脂から誘導されたＲ8 のアルキル基を有するアルコールにエチレンオキサイドを付加させた後、プロピレンオキサイドの順序で付加することで合成される。
【０００８】
式（Ia）で示される非イオン界面活性剤は全（ａ）成分量中の１０重量％〜１００重量％、特には３０重量％〜１００重量％を占めることが好ましい。本発明の組成物は、（ａ）成分の非イオン界面活性剤を１０重量〜５０重量％含有することが好ましい。
【０００９】
（ｂ）成分の脂肪酸は、平均炭素数８〜２０の飽和、又は不飽和の脂肪酸塩が好ましく、合成または牛脂やヤシ油等の天然由来のいずれのものであってもよい。脂肪酸塩は酸のまま配合するが、系中で中和されてもよい、中和する際はアルカリ金属の水酸化物、アルカノールアミンが挙げられるが、アルカノールアミンが最も好ましい。
【００１０】
（ｃ）成分の式（II）で示されるアミンオキシドは、例えば平均炭素数８〜１８の直鎖又は分岐アルキル基を有するアルキルアミンを、過酸化水素等の酸化剤を用いて酸化させることで、容易に得ることができる。式（II）中のＲ2 の平均炭素数は１０〜１４、Ｒ3 、Ｒ4 はメチル基が好ましい。また、（ｃ）成分の式(III) で示されるアミドアミンオキシドは、例えば平均炭素数８〜１８の脂肪酸と１，３−プロピレンジアミンとをモル比１：１でアミデーションさせ、未反応物とジアミドを精製により除去した後、アミン残基を常法に従って酸化して容易に得ることができる。式(III) 中のｔは３が好ましく、Ｒ5 の平均炭素数は１０〜１４、Ｒ6 、Ｒ7 はメチル基が好ましい。
【００１１】
（ｂ）及び（ｃ）の合計量は２重量％〜１０重量％が好ましく、また（ｂ）／（ｃ）の好ましくは１／１０〜１／１（重量比）である。
【００１２】
本発明に配合されるその他界面活性剤としては、洗浄性を高める上でアルキルベンゼンスルホン酸塩、ポリエチレンオキシアルキル硫酸エステル塩等の陰イオン界面活性剤を併用することが好ましい。陰イオン界面活性剤の対イオンとしてはナトリウム、カリウム等のアルカリ金属以外に、マグネシウム等のアルカリ土類金属及び／又はモノ、ジ、トリエタノールアミン等のアルカノールアミン等を使用するが、特にアルカノールアミンを用いることで液安定性が向上することから好適である。しかしながら、すすぎ性の為には、脂肪酸塩以外の陰イオン界面活性剤の配合量は、酸型に換算して、好ましくは１０重量％以下、更に好ましくは５重量％以下、最も好ましくは２重量％未満である。
【００１３】
（ａ）成分及び（ｃ）成分以外の非イオン界面活性剤として、平均炭素数が１０〜１４であり、平均エチレンオキサイド付加モル数が５〜１０のポリオキシエチレンアルキルエーテルを併用することが好ましい。
【００１４】
更に本発明には、下記成分を配合することができる。アルカリ金属の水酸化物、ケイ酸塩、炭酸塩及びアルカノールアミン等のアルカリ剤；エタノールなどのアルコール類、エチレングリコール、分子量２００以上〜数千位の低分子量のポリエチレングリコール及びプロピレングリコールなどのグリコール類、パラトルエンスルホン酸、安息香酸塩（防腐剤としての効果もある）並びに尿素などの減粘剤や可溶化剤；ポリオキシアルキレンベンジルエーテル、ポリオキシアルキレンフェニルエーテルなどの相調節剤；イミノ二酢酸塩、ジエチレントリアミン五酢酸塩、グリコールエーテルジアミン四酢酸塩、ヒドロキシエチルイミノ二酢酸塩、トリエチレンテトラミン六酢酸塩、マロン酸、コハク酸、ジグリコール酸、リンゴ酸、酒石酸及びクエン酸並びにそれらの塩などのキレート剤；ポリアクリル酸、ポリマレイン酸、カルボキシメチルセルロース、平均分子量５０００以上のポリエチレングリコール、無水マレイン酸−ジイソブチレン共重合体、無水マレイン酸−メチルビニルエーテル共重合体、無水マレイン酸−イソブチレン共重合体、無水マレイン酸―酢酸ビニル共重合体、特開昭５９−６２６１４号公報記載のポリマー化合物；ポリビニルピロリドンなどの色移り防止剤；アミラーゼ、プロテアーゼ、リパーゼ、セルラーゼなどの酵素；塩化カルシウム、硫酸カルシウム、ギ酸、ホウ酸（ホウ素化合物）などの酵素安定化剤；チノパールＣＢＳ（チバガイギー社製）などの蛍光染料；アミノ変性シリコーン；シリカ、シリコーン系などの消泡剤；ブチルヒドロキシトルエン、ジスチレン化クレゾール、亜硫酸ナトリウム、亜硫酸水素ナトリウムなどの酸化防止剤；着色剤；香料；抗菌防腐剤が挙げられる。
【００１５】
【実施例】
（１）液体洗浄剤組成物の調製
表１記載の液体洗浄剤組成物を調製した。陰イオン界面活性剤（１）又は（２）を配合する場合は、予めアルカノールアミン塩として配合した。
（２）すすぎ性の評価
下記洗濯条件ですすぎ性の評価を行なった。なお、すすぎ性の評価は、すすぎ時間を１分、３分、５分、１０分、１５分の何れかに設定し、攪拌と流水を停止させたときの液面の泡の状態を観察することで行った。
洗濯機；東芝銀河3.6 VH-360S1
水量；３０Ｌ（水道水、２３℃）
衣料；木綿肌着１．５ｋｇ、ワイシャツ（ポリエステルとコットンの混紡）１．５ｋｇ
洗剤量；２０ｍＬ／３０Ｌ
洗濯条件；強反転１０分間、脱水１分間
すすぎ条件；流水すすぎ（１４Ｌ／分、オーバーフロー）
すすぎ時間１分、３分、５分、１０分又は１５分
（３）結果
いずれの組成もすすぎ時間が少なくとも５分で液面に泡は見られず、充分な泡切れ効果が得られることが示された。
【００１６】
【表１】
0003926467.tif 000003
【００１７】
（注）
・非イオン界面活性剤（１）：一般式(Ｉ)においてＲ1 が炭素数１２〜１４のアルキル基であり、ｍ＝６，ｎ＝１のＥＯとＰＯの付加が同時に行われたもの。
・非イオン界面活性剤（２）：一般式(Ｉ)においてＲ1 が炭素数１２〜１４のアルキル基であり、ｍ＝８，ｎ＝１のＥＯとＰＯの付加が同時に行われたもの。
・非イオン界面活性剤（３）：一般式（Ia）においてＲ8 が炭素数１２〜１４のアルキル基であり、ｐ＝６，ｑ＝１のもの。
【００１８】
・非イオン界面活性剤（４）：一般式(Ｉ)においてＲ1 が炭素数１２〜１４のアルキル基であり、ｍ＝６，ｎ＝２のＥＯとＰＯの付加が同時に行われたもの。
・非イオン界面活性剤（５）：一般式(Ｉ)においてＲ1 が炭素数１２〜１４のアルキル基であり、ｍ＝８，ｎ＝２のＥＯとＰＯの付加が同時に行われたもの。
・非イオン界面活性剤（６）：一般式（Ia）においてＲ8 が炭素数１２〜１４のアルキル基であり、ｐ＝８，ｑ＝２のもの。
【００１９】
・脂肪酸：炭素数が１０〜１８の脂肪酸
・アミンオキサイド（１）：一般式（II）においてＲ2 が炭素数１２のアルキル基であり、Ｒ3 及びＲ4 がメチル基である。
【００２０】
・アミンオキサイド（２）：一般式(III) においてＲ5 が炭素数１２のアルキル基であり、Ｒ6 及びＲ7 がメチル基、ｔが３である。
【００２１】
・陰イオン界面活性剤（１）：アルキル鎖の炭素数が１２〜１４の直鎖アルキルベンゼンスルホン酸
・陰イオン界面活性剤（２）：アルキル鎖が１級の炭素数が１２のアルキル硫酸エステル
・アルカノールアミン（１）：モノエタノールアミン
・アルカノールアミン（２）：ジエタノールアミン
・酵素：デュラザイム１６．０Ｌ（プロテアーゼ、ノボノルディスクバイオインダストリー社製）
・蛍光染料：チノパールＣＢＳ（チバ・ガイギー社製）
【００２２】
【発明の効果】
本発明の液体洗浄剤組成物はすすぎ時の泡切れ性に優れるため、少ない水の量ですすぐことができる。